(57)【要約】【課題】ネットワークへの負荷を低減する。【解決手段】本発明に係る携帯電話機１は、表示部４０と、複数の通信システムのうち少なくともいずれかの通信システムによってデータの送受信が可能な通信部２０と、所定のイベントの発生に起因して前記表示部による表示が行われた場合、前記表示部による表示が行われた時点における前記複数の通信システムによる通信の接続状態及び前記複数の通信システムによるそれまでの通信履歴に応じて、前記複数の通信システムそれぞれによる通信接続の試行を開始するか否かを判断する制御部１０と、を備える。【選択図】図１
2015012386.tif 000002
【特許請求の範囲】
【請求項１】
表示部と、
複数の通信システムのうち少なくともいずれかの通信システムによってデータの送受信が可能な通信部と、
所定のイベントの発生に起因して前記表示部による表示が行われた場合、前記表示部による表示が行われた時点における前記複数の通信システムによる通信の接続状態及び前記複数の通信システムによるそれまでの通信履歴に応じて、前記複数の通信システムそれぞれによる通信接続の試行を開始するか否かを判断する制御部と、を備える
携帯無線機。
【請求項２】
前記通信履歴は、それまでに送受信したデータの容量の合計又はそれまでに実行した通信による通信時間である
請求項１に記載の携帯無線機。
【請求項３】
前記所定のイベントの発生は、緊急地震速報の受信である
請求項１又は２に記載の携帯無線機。
【請求項４】
前記データの容量の合計は、前記所定のイベントの発生時から所定時間までに送受信したデータの容量の合計である
請求項１から３のいずれか一項に記載の携帯無線機。
【請求項５】
前記複数の通信システムは、第１の通信システム及び当該第１の通信システムより優先順位の高い第２の通信システムを含み、
前記制御部は、前記表示部による表示が行われた時点において、前記第１の通信システムにより通信接続している場合、現在通信接続していない第２の通信システムによってそれまでに送受信したデータの容量の合計が、前記第１の通信システムによってそれまでに送受信したデータの容量の合計より小さいならば、当該第２の通信システムにおける通信接続の試行を開始する
請求項１から４のいずれか一項に記載の携帯無線機。
【請求項６】
前記複数の通信システムは、前記第１の通信システムより優先順位が高く、前記第２の通信システムより優先順位の低い第３の通信システムをさらに含み、
前記制御部は、前記表示部による表示が行われた時点において、前記第１の通信システムにより通信接続しており、前記第２の通信システムによる通信接続を試行しない場合、現在通信接続していない前記第３の通信システムによってそれまで送受信したデータの容量の合計が前記第１の通信システムによってそれまで送受信したデータの容量の合計より小さいならば、当該第３の通信システムにおける通信接続の試行を開始する
請求項５に記載の携帯無線機。
【発明の詳細な説明】
【技術分野】
【０００１】
本出願は、携帯無線機に関する。
【背景技術】
【０００２】
スマートフォン又はタブレット端末等、タッチスクリーンディスプレイを備える通信機器は、高機能化に伴ってアプリケーションの実行、表示及び通信等に多くの電力を必要とする傾向にあるため、特に携帯型の通信機器では、ユーザの利便性を低下させることなく消費電力を低減させることが求められている。
【０００３】
消費電力を低減させるための一例として、制御部は、ディスプレイが消灯状態において複数の通信システムのうち優先順位の高い通信システムにおける通信が切断した場合、その通信システムに対して、即時に通信接続の試行を開始せず、ディスプレイが表示されたことを契機として、通信接続の試行を開始する。
【０００４】
これによって、ディスプレイが消灯状態のような、ユーザが操作していない可能性が高いときに、無駄な通信接続の試行を減らすことによって、無駄な電力の消費を低減することができる。
【発明の概要】
【発明が解決しようとする課題】
【０００５】
しかし、緊急地震速報等のような複数の端末に対して一斉に送信されるメッセージの受信等に起因して、複数の携帯無線機のディスプレイが一斉に表示される場合がある。そのような場合において、複数の端末が、ディスプレイの表示に起因して、通信システムに対して一斉に通信接続の試行を開始する。そうすると、通信接続の試行の過程で発生するネットワーク内の認証サーバに対する認証処理が集中してしまい、認証サーバのダウン等、ネットワークへの負荷が増大してしまう。
【０００６】
よって、本発明は、ネットワークへの負荷を低減することを目的とする。
【課題を解決するための手段】
【０００７】
本発明の携帯無線機は、表示部と、複数の通信システムのうち少なくともいずれかの通信システムによってデータの送受信が可能な通信部と、所定のイベントの発生に起因して前記表示部による表示が行われた場合、前記表示部による表示が行われた時点における前記複数の通信システムによる通信の接続状態及び前記複数の通信システムによるそれまでの通信履歴に応じて、前記複数の通信システムそれぞれによる通信接続の試行を開始するか否かを判断する制御部と、を備える。
【０００８】
好適には、前記通信履歴は、それまでに送受信したデータの容量の合計又はそれまでに実行した通信による通信時間である。
【０００９】
好適には、前記所定のイベントの発生は、緊急地震速報の受信である。
【００１０】
好適には、前記データの容量の合計は、前記所定のイベントの発生時から所定時間までに送受信したデータの容量の合計である。
【００１１】
好適には、前記複数の通信システムは、第１の通信システム及び当該第１の通信システムより優先順位の高い第２の通信システムを含み、前記制御部は、前記表示部による表示が行われた時点において、前記第１の通信システムにより通信接続している場合、現在通信接続していない第２の通信システムによってそれまでに送受信したデータの容量の合計が、前記第１の通信システムによってそれまでに送受信したデータの容量の合計より小さいならば、当該第２の通信システムにおける通信接続の試行を開始する。
【００１２】
好適には、前記複数の通信システムは、前記第１の通信システムより優先順位が高く、前記第２の通信システムより優先順位の低い第３の通信システムをさらに含み、前記制御部は、前記表示部による表示が行われた時点において、前記第１の通信システムにより通信接続しており、前記第２の通信システムによる通信接続を試行しない場合、現在通信接続していない前記第３の通信システムによってそれまで送受信したデータの容量の合計が前記第１の通信システムによってそれまで送受信したデータの容量の合計より小さいならば、当該第３の通信システムにおける通信接続の試行を開始する。
【発明の効果】
【００１３】
本発明によると、ネットワークへの負荷を低減することができる。
【図面の簡単な説明】
【００１４】
【図１】図１は、本発明の実施形態における携帯電話機１の機能を示すブロック図である。
【図２】図２は、本発明の実施形態の処理を示すシーケンス図である。
【図３】図３は、図２のシーケンス図における一部の詳細を示すシーケンス図である。
【図４】図４は、図２のシーケンス図における一部の詳細を示すシーケンス図である。
【発明を実施するための形態】
【００１５】
図１は、本発明の携帯無線機の実施形態に係る携帯電話機１の機能を示すブロック図である。
【００１６】
携帯電話機１は、制御部１０と、通信部２０と、記憶部３０と、表示部４０と、操作部５０と、音声制御部６０と、を備えて構成される。
【００１７】
制御部１０は、携帯電話機１の全体を制御しており、例えば、通信部２０、表示部４０等の各部に対して所定の制御を行う。また、制御部１０は、操作部５０あるいは通信部２０等から入力を受けて、各種処理を実行する。そして、制御部１０は、処理実行の際には、記憶部３０を制御し、各種プログラム及びデータの読み出し、及びデータの書き込みを行う。その詳細については、後述する。
【００１８】
通信部２０は、所定の使用周波数帯（例えば、２ＧＨｚ帯あるいは８００ＭＨｚ帯等）を用いて外部装置（各通信システムにおけるネットワークを構成する基地局等）と通信を行う。そして、通信部２０は、アンテナより受信した信号を復調処理し、処理後の信号を制御部１０に供給し、また、制御部１０から供給された信号を変調処理し、アンテナから外部装置に送信する。
【００１９】
ここで、通信部２０は、本実施形態においては、音声通信又はデータ通信のいずれにも用いられる通信システムであるＷ−ＣＤＭＡ、ＣＤＭＡ２０００１ｘ（以下、１ｘ）若しくはＧＳＭ、データ通信に用いられる通信システムであるＣＤＭＡ２０００１ｘＥＶ−ＤＯ（以下、ＥＶＤＯ）若しくはＷｉＭＡＸ、主に高速データ通信に用いられる通信システムであるＬＴＥ（Ｌｏｎｇ  Ｔｅｒｍ  Ｅｖｏｌｕｔｉｏｎ）、無線ＬＡＮに対応しており、いずれの通信システムによっても通信が可能である。無線ＬＡＮとは例えば、ＩＥＥＥ８０２．１１に準拠した通信システムを指す。また、これ以降、Ｗ−ＣＤＭＡ、１ｘ、ＥＶＤＯを総称して３Ｇとする。
【００２０】
本実施形態においては、通信部２０は、主に無線ＬＡＮ、ＷｉＭＡＸ、３Ｇによって通信を行うが、使用可能なものはこれら３種類の通信システムに限られない。
【００２１】
通信部２０は、制御部１０からの指令に基づいて、複数の通信システムのうちいずれか一の通信システム又はいずれか複数の通信システムによって外部装置と通信を行う。通信部２０は、通信を開始する際に、通信接続を試行する。ここでいう通信接続の試行とは、ＷｉＭＡＸを例に挙げると、まず、周辺基地局の探索（サーチ）を行い、周辺基地局が存在するならば接続先の基地局を特定し、特定した基地局との無線の確立後、認証サーバによる認証、ＤＨＣＰサーバによるＩＰアドレスの取得を行うこと指す。通信部２０は、このような通信接続の試行によってネットワークとの通信接続を確立し、ネットワークを介してサーバや他の携帯電話機との通信を行う。
【００２２】
通信部２０は、いずれの通信システムによっても通信接続がされていない状態において、制御部１０からの指令に基づいて、予め定められている優先順位に基づき、無線ＬＡＮ、ＷｉＭＡＸ、３Ｇの順番で通信接続の試行を行う。ここで、通信接続の試行の優先順位は、無線ＬＡＮ、ＷｉＭＡＸ、３Ｇの順で定められている。通信部２０は、まず始めに無線ＬＡＮによる通信接続を試行し、無線ＬＡＮによる通信接続に失敗した場合に、ＷｉＭＡＸによる通信接続を試行し、ＷｉＭＡＸによる通信接続に失敗した場合に、３Ｇによる通信接続を試行し、３Ｇによる通信接続に失敗した場合には、圏外とする。
【００２３】
記憶部３０は、例えば、ワーキングメモリを含み、制御部１０による演算処理に利用される。また、本実施形態に係る各種プログラム等を記憶する。また、記憶部３０は、各通信システム（無線ＬＡＮ、ＷｉＭＡＸ、３Ｇ）により送受信したデータ（通話音声のデータも含む）の容量を累積的に記憶する。また、記憶部３０は、各通信システムによる通信時間、通信切断の回数、を累積的に記憶する。
【００２４】
表示部４０は、例えば、液晶ディスプレイ、有機ＥＬ（Ｅｌｅｃｔｒｏ  ｌｕｍｉｎｅｓｃｅｎｃｅ）ディスプレイ等である。表示部４０は、制御部１０からの指示に応じて画面の表示を行う。ここで、表示部４０による画面の表示には、表示部４０のバックライトの起動による表示部４０の点灯も含む。
【００２５】
操作部５０は、例えば、ボタン、キーボード、タッチセンサ等で構成される。操作部５０によって操作されると、当該操作の結果が制御部１０に対して入力される。当該入力を受けた制御部１０は、当該入力に応じた制御を実行する。
【００２６】
音声制御部６０は、制御部１０の制御に従って、通信部２０から供給された信号に対して所定の音声処理を行い、処理後の信号をレシーバ（図示せず）に出力する。レシーバは、音声制御部６０から供給された信号を外部に出力する。なお、この信号は、レシーバに代えて、又はレシーバと共に、スピーカ（図示せず）から出力されるとしてもよい。
【００２７】
また、音声制御部６０は、制御部１０の制御に従って、マイク（図示せず）から入力された信号を処理し、処理後の信号を通信部２０に出力する。通信部２０は、音声制御部６０から供給された信号に所定の処理を行い、処理後の信号をアンテナより出力する。
【００２８】
制御部１０の詳細構成について以下に説明する。
【００２９】
制御部１０は、所定のイベントの発生に起因して表示部４０に画面を表示させるよう表示部４０に対して指示する。ここでいう所定のイベントとは、例えば、緊急地震速報等の緊急時に基地局から不特定のユーザに対して一斉配信されるメッセージの受信等を指す。制御部１０は、所定のイベントが発生すると、表示部４０に画面を表示させるよう、表示部４０に対して指示する。その結果、表示部４０は、画面を表示する。
【００３０】
次に、制御部１０は、表示部４０による表示が行われた時点における複数の通信システムによる通信の接続状態及び複数の通信システムによるそれまでの通信履歴に応じて、複数の通信システムそれぞれによる通信接続の試行を開始するか否かを判断する。ここでいう複数の通信システムによる通信の接続状態とは、具体的には、各通信システムによる通信接続している状態か若しくは切断されている状態のいずれの状態かを指す。また、複数の通信システムによるそれまでの通信履歴とは、表示部４０に表示が行われた時点までに送受信したデータ（通話音声のデータを含んでもよい）の容量の合計又はそれまでに実行した通信による通信時間である。ここでいう通信による通信時間とは、例えば、通話時間やデータ通信によるパケット送受信にかかった時間等を指す。また、ここでいうデータの容量の合計とは、所定のイベントの発生時から所定時間までに送受信したデータの容量の合計を指し、所定時間とは、例えば２４時間である。
【００３１】
制御部１０は、通信接続の試行を開始すると判断した場合には、通信接続の試行を開始する。また、制御部１０は、通信接続の試行を開始しないと判断した場合には、通信接続の試行を開始せず、既に通信接続の確立した通信システムによる通信を行う。
【００３２】
図２は、本発明の本発明の第１の実施形態の処理を示すシーケンス図である。
【００３３】
図３及び４は、図２のシーケンス図における一部の詳細を示すシーケンス図である。
【００３４】
制御部１０は、表示部４０により何も表示されていない、いわゆる非表示の状態（ステップＳ１）において、所定のイベントの発生に起因して表示部４０による表示が実行されたか否かを監視する（ステップＳ２）。制御部１０は、所定のイベントが未だ発生していない場合（ステップＳ２  ＮＯ）、継続して所定のイベントの発生に起因した表示部４０による表示が実行されたか否かを監視する。また、制御部１０は、所定のイベント以外のイベントの発生（ユーザによる操作等）に起因して、表示部４０に対して画面の表示を行うよう指示し、表示部４０により画面の表示が行われた場合、通常通り、通信部２０によって無線ＬＡＮ及びＷｉＭＡＸによる通信接続を試行する。
【００３５】
また、制御部１０は、所定のイベントの発生に起因して、表示部４０に対して画面の表示を行うよう指示し、表示部４０により画面の表示が行われた場合（ステップＳ２  ＹＥＳ）、無線ＬＡＮによって接続中か否かを判定する（ステップＳ３）。制御部１０は、無線ＬＡＮによって接続中と判定すると（ステップＳ３  ＹＥＳ）、他の通信システムによる通信接続を試行しない。なお、ここでいう接続中とは、例えば、基地局との無線の確立後、認証サーバの認証等が完了し、切断されていない状態を指す。
【００３６】
そして、制御部１０は、無線ＬＡＮによって接続中ではないと判定すると（ステップＳ３  ＮＯ）、ＷｉＭＡＸによって接続中か否かを判定する（ステップＳ４）。制御部１０は、ＷｉＭＡＸによって接続中であると判定すると（ステップＳ４  ＹＥＳ）、ＷｉＭＡＸによる通信量が無線ＬＡＮによる通信量より大きいか否かを判定する（ステップＳ１１）。ここでいう通信量とは、これまで無線ＬＡＮ若しくはＷｉＭＡＸによる通信によって送受信したデータ（通話音声のデータを含んでもよい）の容量の合計を示す。この容量の合計は例えば、Ｂｙｔｅ若しくはｂｉｔ単位で表わされる。
【００３７】
そして、制御部１０は、ＷｉＭＡＸによる通信量が無線ＬＡＮによる通信量より大きいと判定した場合（ステップＳ１１  ＹＥＳ）、無線ＬＡＮによる通信接続を試行する（ステップＳ１２）。一方で、制御部１０は、ＷｉＭＡＸによる通信量が無線ＬＡＮによる通信量以下と判定した場合（ステップＳ１１  ＮＯ）、無線ＬＡＮによる通信接続を試行しない。
【００３８】
次に、制御部１０は、ＷｉＭＡＸによって接続中でないと判定した場合（ステップＳ４  ＮＯ）、３Ｇによって接続中か否かを判定する（ステップＳ５）。制御部１０は、３Ｇによって接続中であると判定すると（ステップＳ５  ＹＥＳ）、３Ｇによる通信量が無線ＬＡＮによる通信量より大きいか否かを判定する（ステップＳ２１）。制御部１０は、３Ｇによる通信量が無線ＬＡＮによる通信量より大きいと判定した場合（ステップＳ２１  ＹＥＳ）、無線ＬＡＮによる通信接続を試行する（ステップＳ２２）。
【００３９】
また、制御部１０は、ステップＳ２２における無線ＬＡＮによって通信接続を試行する前、試行中若しくは試行後、又は３Ｇによる通信量が無線ＬＡＮによる通信量以下と判定した場合（ステップＳ２１  ＮＯ）、３Ｇによる通信量がＷｉＭＡＸによる通信量より大きいか否かを判定する（ステップＳ２３）。そこで、制御部１０は、３Ｇによる通信量がＷｉＭＡＸによる通信量より大きいと判定すると（ステップＳ２３  ＹＥＳ）、ＷｉＭＡＸによる通信接続を試行する（ステップＳ２４）。一方で、制御部１０は、３Ｇによる通信量がＷｉＭＡＸによる通信量以下と判定すると（ステップＳ２３  ＮＯ）、ＷｉＭＡＸによる通信接続を試行しない。
【００４０】
また、制御部１０は、３Ｇによって接続中でないと判定すると（ステップＳ５  ＮＯ）、無線ＬＡＮによる通信接続を試行すると共にＷｉＭＡＸによる通信接続を試行する（ステップＳ６）。なお、ここでは、制御部１０は、無線ＬＡＮ若しくはＷｉＭＡＸいずれかのみ通信接続を試行するとしてもよい。
【００４１】
本発明の実施形態により、複数の携帯電話機が一斉に表示部による表示が行われ、無線ＬＡＮ及びＷｉＭＡＸによる通信接続の試行を行うことについて一定の条件を課すことによって、一斉に開始されることを低減し、無線ＬＡＮ及びＷｉＭＡＸのネットワーク内の認証サーバ等の負荷を低減することができる。また、一定の条件を満たしたら、現在接続している通信システムより優先順位の高い通信システムに対する通信接続の試行を開始することができるため、極力、ユーザの希望する通信システムによる通信を実行することができ、緊急時に必要な情報を迅速に取得することができる。
【００４２】
また、上記実施形態では、現在接続中の通信システムによる通信量と他の通信システムによる通信量とを対比して現在接続中の通信システムによる通信量が他の通信システムによる通信量より大きい場合には、他の通信システムによる通信接続の試行を開始するものであるが、これには限られず、例えば、現在接続中の通信システムによる通信の累積時間と他の通信システムによる通信の累積時間とを対比して現在接続中の通信システムによる通信の累積時間の方が他の通信システムによる通信の累積時間より大きい場合には、他の通信システムによる通信接続の試行を開始してもよい。
【００４３】
また、現在接続中の通信システムによる通信の切断回数と他の通信システムによる通信の切断回数とを対比して現在接続中の通信システムによる通信の切断回数の方が他の通信システムによる通信の切断回数より大きい場合には、他の通信システムによる通信接続の試行を開始してもよい。また、切断回数に代わって切断頻度であってもよい。
【００４４】
また、現在接続中の通信システムによる通信の接続回数と他の通信システムによる通信の接続回数とを対比して現在接続中の通信システムによる通信の接続回数の方が他の通信システムによる通信の接続回数より大きい場合には、他の通信システムによる通信接続の試行を開始してもよい。また、接続回数に代わって接続頻度であってもよい。
【００４５】
また、上記実施形態では、無線ＬＡＮ、ＷｉＭＡＸ、３Ｇの３種類の通信システムを例に挙げて説明したが、これらに限られず、例えば、本実施形態におけるＷｉＭＡＸをＬＴＥに代えると共に３Ｇを除いた、無線ＬＡＮ、ＬＴＥの２種類の通信システムであってもよい。また、それ以外にも、３種類の通信システムの組み合わせはどのような組み合わせであってもよく、通信システムの種類も３種類に限られず、例えば、２種類若しくは４種類であってもよい。
【００４６】
また、本実施形態における無線ＬＡＮの通信接続を試行しない場合とは、特定のＳＳＩＤのアクセスポイントに対して通信接続を試行しないこととし、他のＳＳＩＤのアクセスポイントに対しては通信接続を試行することとしてもよい。ここでいう特定のＳＳＩＤは、例えば、公衆無線ＬＡＮに対応するアクセスポイントのＳＳＩＤである。
【００４７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００４８】
また、本発明の携帯無線機は、実施形態における携帯電話機１に限定されず、携帯型パソコン、デジタルカメラ、メディアプレイヤ、電子書籍リーダ、ナビゲータ、ゲーム機等の無線通信機能を有する携帯電子機器、無線通信機能に特化した通信専用モジュール、デスクトップパソコン、テレビ受像器等の据え置き型の無線通信機能を有する電子機器であってもよい。
【符号の説明】
【００４９】
１  携帯電話機（携帯無線機）
１０  制御部
２０  通信部
３０  記憶部
４０  表示部
５０  操作部
６０  音声制御部
【図１】
2015012386.tif 000003
【図２】
2015012386.tif 000004
【図３】
2015012386.tif 000005
【図４】
2015012386.tif 000006